(57)【要約】【課題】過去の測定値から血圧値の要注意時期を報知することで、ユーザの血圧測定への関心を高める血圧計を提供する。【解決手段】血圧計１０は、年間の異なる時期にわたる血圧値の統計データを取得するダウンロード制御部４７と、ダウンロード制御部４７により取得された統計データから、最高血圧値が最も高くなる季節および／または最高血圧値と最低血圧値の差が最も小さくなる季節である要注意季節を判定する要注意季節判定部４８と、要注意季節判定部４８により判定された要注意季節をユーザに報知する表示部２１と、を有する。【選択図】図３
2014188063.tif 000002
【特許請求の範囲】
【請求項１】
年間の異なる時期にわたる血圧値の統計データを取得する取得部と、
前記取得部により取得された統計データから、最高血圧値が最も高くなる時期または最高血圧値と最低血圧値の差が最も小さくなる時期である要注意時期を判定する判定部と、
前記判定部により判定された要注意時期をユーザに報知する報知部と、
を有することを特徴とする血圧計。
【請求項２】
血圧が測定される時期が前記要注意時期であると前記判定部が判定した場合に、血圧測定のための加圧の上限圧力を、予め定められた程度だけ高い圧力に補正する補正部をさらに有する、請求項１に記載の血圧計。
【請求項３】
過去の測定値を記憶する記憶部をさらに有し、
前記報知部が、前記測定値を表示する表示部で構成され、
前記表示部に表示される測定値が前記要注意時期に測定された値であると前記判定部が判定した場合に、前記測定値が前記要注意時期の値であることを前記報知部が報知する、請求項１または２に記載の血圧計。
【請求項４】
前記統計データとして、血圧が測定される地域の統計データを前記取得部が取得する、請求項１〜３のいずれか一項に記載の血圧計。
【請求項５】
血圧計と、
前記血圧計で測定された測定値を収集するデータ収集端末と、
を有する血圧測定システムであって、
前記データ収集端末が、
年間の異なる時期にわたる血圧値の統計データを取得する取得部と、
前記取得部により取得された統計データから、最高血圧値が最も高くなる時期または最高血圧値と最低血圧値の差が最も小さくなる時期である要注意時期を判定する判定部と、
前記判定部により判定された要注意時期をユーザに報知する報知部と、
を有することを特徴とする血圧測定システム。
【発明の詳細な説明】
【技術分野】
【０００１】
本発明は、血圧計および血圧測定システムに関する。
【背景技術】
【０００２】
人間の血圧値には、睡眠中に最も低下し起床時に上昇するといった日内変動や、血管が収縮する低温環境や食生活の季節サイクルの影響などによって生じる季節変動がある。そこで、血圧が上昇しやすい早朝の測定値を報知する血圧計や、血圧値と併せて気温を報知する血圧計が知られている。
【０００３】
特許文献１には、血圧測定手段と、カフ付近の皮膚温度を測定する皮膚温度測定手段と、外気温度を測定する外気温度測定手段と、上記皮膚温度測定手段、外気温度測定手段及び上記血圧測定手段を所定時間間隔毎に連続的に駆動させるクロック手段と、上記血圧測定手段により測定された血圧値並びに皮膚温度測定手段、外気温度測定手段により測定された皮膚温度及び外気温度を記憶する測定値記憶手段とから成る血圧記録装置が記載されている。
【０００４】
特許文献２には、心血管リスクに関する情報を提供する血圧計が記載されている。この血圧計は、測定された血圧値に、クロックから入力される測定時刻を表わす情報を対応付けてメモリに格納する。メモリには、血圧値に対応付けられた時刻情報に基づいて、朝時間帯に測定された血圧値と、夕方時間帯に測定された血圧値とがグループ分けされて格納されている。データグループ内平均算出部が、各グループに含まれる血圧値の平均を算出し、リスク算出部が、データグループ内平均算出部の算出結果に基づいて、リスク値を算出する。
【０００５】
特許文献３には、測定血圧に関する条件と関連付けされて記憶した血圧データを、所定の条件毎に読出して表示する電子血圧計が記載されている。この電子血圧計では、圧力センサが検出するカフ内の検出圧力に基づき算出部が血圧を算出する。データ格納部が、当該血圧データと、血圧に関する条件を示す条件データとを関連付けてメモリに格納する。操作部が、複数種類の条件のそれぞれを指定するために操作される。操作部が操作されたとき、読出表示部が、当該操作により指定された条件に関連付けされた血圧データを、メモリから読出して表示部に表示する。
【先行技術文献】
【特許文献】
【０００６】
【特許文献１】特許第２８５３２３３号公報
【特許文献２】特許第４０２５２２０号公報
【特許文献３】特許第４９０２１５３号公報
【発明の概要】
【発明が解決しようとする課題】
【０００７】
血圧には、早朝や気温といった瞬時的な測定環境に起因する日内変動だけでなく、１年単位の長期的サイクルでの季節変動がある。この季節変動のため、統計的に血圧系の疾患が起こりやすい季節がある。日内変動については、最も血圧が上昇しやすい起床時に測定することを促すなど、測定タイミングとしては普遍的な提示が可能である。しかし、季節変動については、いつ何に着目して血圧を測定すればよいかを判断することは、ユーザにとって困難である。
【０００８】
そこで、本発明は、過去の測定値から血圧値の要注意時期を報知することで、ユーザの血圧測定への関心を高める血圧計を提供することを目的とする。
【課題を解決するための手段】
【０００９】
本発明に係る血圧計は、年間の異なる時期にわたる血圧値の統計データを取得する取得部と、取得部により取得された統計データから、最高血圧値が最も高くなる時期または最高血圧値と最低血圧値の差が最も小さくなる時期である要注意時期を判定する判定部と、判定部により判定された要注意時期をユーザに報知する報知部と、を有することを特徴とする。
【００１０】
本発明に係る血圧計は、血圧が測定される時期が要注意時期であると判定部が判定した場合に、血圧測定のための加圧の上限圧力を、予め定められた程度だけ高い圧力に補正する補正部をさらに有することが好ましい。
【００１１】
本発明に係る血圧計では、過去の測定値を記憶する記憶部をさらに有し、報知部が、測定値を表示する表示部で構成され、表示部に表示される測定値が要注意時期に測定された値であると判定部が判定した場合に、測定値が要注意時期の値であることを報知部が報知することが好ましい。
【００１２】
本発明に係る血圧計では、統計データとして、血圧が測定される地域の統計データを取得部が取得することが好ましい。
【００１３】
本発明に係る血圧測定システムは、血圧計と、血圧計で測定された測定値を収集するデータ収集端末と、を有し、データ収集端末が、年間の異なる時期にわたる血圧値の統計データを取得する取得部と、取得部により取得された統計データから、最高血圧値が最も高くなる時期または最高血圧値と最低血圧値の差が最も小さくなる時期である要注意時期を判定する判定部と、判定部により判定された要注意時期をユーザに報知する報知部と、を有することを特徴とする。
【発明の効果】
【００１４】
本発明によれば、過去の測定値から血圧値の要注意時期を報知することで、ユーザの血圧測定への関心を高める血圧計を提供することが可能になる。
【図面の簡単な説明】
【００１５】
【図１】血圧計１０の斜視図である。
【図２】異なる地域における血圧値の季節変動の例を示すグラフである。
【図３】血圧計１０の概略ブロック図である。
【図４】地域選択スイッチ３１と測定を促す表示メッセージの例を示した図である。
【図５】血圧計１０の第１の動作例を示したフローチャートである。
【図６】月別測定値の表示例を示した図である。
【図７】血圧計１０の第２の動作例を示したフローチャートである。
【図８】加圧上限設定スイッチ３３と手動設定圧力の補正の例を示した図である。
【図９】血圧計１０の第３の動作例を示したフローチャートである。
【図１０】血圧測定システム１００の概略ブロック図である。
【発明を実施するための形態】
【００１６】
以下、添付図面を参照して、本発明に係る血圧計および血圧測定システムについて詳細に説明する。ただし、本発明の技術的範囲はそれらの実施の形態に限定されず、特許請求の範囲に記載された発明とその均等物に及ぶ点に留意されたい。
【００１７】
図１は、血圧計１０の斜視図である。血圧計１０は、本体２０と、カフ５０と、空気管６０とを有する。カフ５０は、図示しない空気袋を内蔵し、所定のベルトによって例えば被測定者の上腕部に固定される。カフ５０は空気管６０により本体２０と接続され、カフ５０には空気管６０を通して本体２０から空気が送り込まれる。血圧計１０は、カフ５０を加圧した後、カフ５０を減圧する過程で、被測定者の血圧を測定する。
【００１８】
本体２０は、少なくとも表示部２１および操作部２２を有する。表示部２１は、例えば液晶表示パネルで構成され、測定中の数値や最高血圧値および最低血圧値の測定結果などを表示する。操作部２２は、測定の開始／停止を指示するためのスイッチや、被測定者を選択するためのスイッチなどを有する。
【００１９】
上記したように、人間の血圧値には、血管が収縮する低温環境や食生活の季節サイクルの影響などによって生じる季節変動がある。この季節変動により、例えば、最高血圧が上昇しやすい季節や、最高血圧と最低血圧の差（脈圧）が少なくなりやすい季節などがある。また、気候の違いなどに起因して、血圧値の季節変動は地域により異なる。
【００２０】
図２（Ａ）および図２（Ｂ）は、異なる地域における血圧値の季節変動の例を示すグラフである。図２（Ａ）は、関東地方（東京都）の被験者１００人に関する統計データであり、それぞれ、最高血圧および最低血圧の月別平均値の季節変動を示す。この統計データによると、最高血圧値が最も上昇する季節は２月であり、最高血圧と最低血圧の差が最小になる季節は１０月である。図２（Ａ）では、それぞれを破線で囲んで示している。
【００２１】
また、図２（Ｂ）は、東北地方（秋田県）の被験者１００人に関する統計データであり、それぞれ、最高血圧および最低血圧の月別平均値の季節変動を示す。この統計データによると、最高血圧値が最も上昇する季節は１１月であり、最高血圧と最低血圧の差が最小になる季節は５月〜６月である。図２（Ｂ）では、それぞれを破線で囲んで示している。特に、血圧系の疾患がある人は、図２（Ａ）および図２（Ｂ）に示した平均値以上にこの変動がより顕著にみられる傾向がある。
【００２２】
最高血圧が最も上昇する季節は、脳血管が損傷しやすく、脳卒中が起こりやすくなるため、注意が必要である。また、最高血圧と最低血圧の差が最小になる季節は、血管が拡張しにくくなって血液粘性が高まり、動脈硬化が起こりやすくなるため、注意が必要である。その他にも、例えば動脈硬化のある高齢者の場合には、最高血圧と最低血圧の差が最大になる季節なども、注意が必要である。以下では、一例として、「最高血圧値が最も上昇する季節」と「最高血圧と最低血圧の差が最小になる季節」に着目し、これらを特に「要注意季節（要注意時期）」と呼ぶことにする。
【００２３】
例えば高血圧の治療を受けるために通院している人は、重点的に血圧を測定した方がよい季節（月）を医師から指導される。しかし、一般の人は、血圧を測定する習慣がなく、どの季節に血圧を注意すればよいのかがわからない。このため、どの季節で小まめに血圧を測定した方がよいのかを判断することは、一般の人には難しい。
【００２４】
そこで、血圧計１０は、使用される地域の月別平均血圧統計データを内蔵し、その統計データを用いて、現在の日時が要注意季節に含まれるか否かをユーザに報知する。血圧計１０は、１年単位の長期的なサイクルで統計的に血圧が上昇しやすい季節などの要注意季節を報知することにより、血圧測定へのユーザの関心を高め、ユーザの健康管理を促進する。
【００２５】
図３は、血圧計１０の概略ブロック図である。血圧計１０の本体２０は、表示部２１と、操作部２２と、加圧ポンプ２３と、駆動回路２４と、圧力センサ２５と、発振回路２６と、スローリークバルブ２７と、駆動回路２８と、制御部４０とを有する。加圧ポンプ２３、圧力センサ２５およびスローリークバルブ２７は、カフ５０と空気管６０で接続されている。
【００２６】
表示部２１と操作部２２は、図１に関して上記したものである。表示部２１は、血圧の測定値や、現在の日時などとともに、要注意季節をユーザに報知するためのメッセージを表示する。表示部２１は、報知部の一例である。操作部２２は、上記した測定の開始／停止を指示するためのスイッチなどに加えて、後述する地域選択スイッチ、月別平均値表示ボタンおよび加圧上限設定スイッチを有する。
【００２７】
加圧ポンプ２３は、カフ５０に空気を送り込むことによって、カフ５０の内部を加圧する。駆動回路２４は、制御部４０から与えられる制御信号に基づいて、加圧ポンプ２３を駆動する。
【００２８】
圧力センサ２５は、カフ５０内の圧力を検出して電気信号に変換するセンサであり、圧力検出信号を発振回路２６に出力する。カフ５０内の圧力とは、カフ５０に設けられた空気袋内の圧力である。発振回路２６は、圧力センサ２５から取得した圧力検出信号を周波数信号に変換し、制御部４０に出力する。カフ５０内の圧力は、この周波数の変化から算出される。
【００２９】
スローリークバルブ２７は、カフ５０に溜められた空気を徐々に排気する。駆動回路２８は、制御部４０から与えられる制御信号に基づいて、スローリークバルブ２７を開閉させる。
【００３０】
制御部４０は、ＣＰＵや、ＲＡＭ、ＲＯＭなどを含んだ制御回路として構成される。制御部４０は、機能ブロックとして、メモリ４１と、加圧制御部４２と、血圧値測定部４３と、排気制御部４４と、表示制御部４５と、時計・カレンダー機能４６と、ダウンロード制御部４７と、要注意季節判定部４８とを有する。
【００３１】
メモリ４１は、ダウンロード制御部４７が取得した血圧統計データや、血圧値測定部４３が測定した被測定者ごとの測定値を記憶する。メモリ４１は、記憶部の一例である。加圧制御部４２は、圧力センサ２５により検出される圧力が所定の加圧上限圧力になるまでカフ５０を加圧するように、駆動回路２４を制御する。
【００３２】
血圧値測定部４３は、発振回路２６が生成した周波数信号の周波数の変化から検出される各脈波の開始圧力値やその測定時間などのデータに基づき、例えばオシロメトリック方式を利用して、被測定者の最高血圧値と最低血圧値を測定する。
【００３３】
排気制御部４４は、スローリークバルブ２７によるカフ５０内の空気の排気を制御する。表示制御部４５は、血圧値測定部４３により測定された最高・最低血圧値や、現在の日時を表示部２１に表示させる。また、表示制御部４５は、要注意季節判定部４８により決定された要注意季節をユーザに報知するためのメッセージを、表示部２１に表示させる。
【００３４】
時計・カレンダー機能４６は、現在の年月日および時刻のデータを有する。ダウンロード制御部４７は、例えば図２（Ａ）および図２（Ｂ）に示した月別平均血圧などの統計データを、例えば年１回などの一定期間ごとに外部のデータサーバからダウンロードし、メモリ４１に記憶する。ダウンロード制御部４７は、取得部の一例である。
【００３５】
要注意季節判定部４８は、操作部２２の地域選択スイッチにより選択された血圧計１０の使用地域を示す情報を取得し、その地域の血圧統計データをメモリ４１から取得する。そして要注意季節判定部４８は、その血圧統計データに基づき、要注意季節として「最高血圧値が最も上昇する季節」と「最高血圧と最低血圧の差が最小になる季節」を決定し、決定した要注意季節を示す情報をメモリ４１に記憶する。さらに、要注意季節判定部４８は、要注意季節を示す情報を参照して、時計・カレンダー機能４６が示す現在の日時が要注意季節に含まれるかどうかや、表示部２１に表示される測定値が要注意季節のものかどうかを判定する。要注意季節判定部４８は、判定部の一例である。
【００３６】
以下では、血圧計１０の３つの動作例について説明する。第１の動作例は、血圧計１０の使用地域に応じて、その地域の要注意季節になると、血圧計１０が使用中であるか否かにかかわらず、自動的に表示部２１に測定を促すメッセージを表示するというものである。
【００３７】
図４（Ａ）および図４（Ｂ）は、それぞれ地域選択スイッチ３１と測定を促す表示メッセージの例を示した図である。地域選択スイッチ３１は、ユーザが血圧計１０を使用する地域を選択するためのスイッチである。図４（Ａ）は、一例として、北海道、東北、関東、中部、近畿、中国、九州の中から、ユーザが血圧計１０を使用する地域を選択する使用地域選択スイッチ３１を示す。ユーザがこのスイッチを操作して使用地域を選択すると、メモリ４１に記憶されている選択された地域の統計データに基づき、要注意季節判定部４８が、その地域での要注意季節を決定する。
【００３８】
図４（Ｂ）は、測定を促すメッセージを現在の日時とともに表示部２１に表示した例を示す。血圧計１０は、使用されていないときでも、内蔵されている電池により時計・カレンダー機能４６が動作し、表示部２１に現在の日時を表示する。そこで、要注意季節判定部４８が決定した要注意季節になると、表示制御部４５が、図示したように、血圧測定を促すメッセージを現在の日時とともに表示する。例えば、最高血圧値が最も上昇する季節には「血圧が上昇する季節です。血圧を測りましょう」と表示し、最高血圧と最低血圧の差が最小になる季節には、「脈圧が小さくなる季節です。血圧を測りましょう」と表示する。
【００３９】
図５は、血圧計１０の第１の動作例を示したフローチャートである。図５に示す処理フローは、制御部４０のＲＯＭに予め記録されているプログラムに従って、制御部４０のＣＰＵが実行する。
【００４０】
まず制御部４０は、ユーザによる地域選択スイッチ３１の操作を検知して、血圧計１０の使用地域を示す情報を取得する（Ｓ１１）。そしてダウンロード制御部４７が、月別平均血圧などの統計データを、外部のデータサーバからダウンロードする（Ｓ１２）。次に要注意季節判定部４８が、その血圧統計データに基づき、血圧計１０の使用地域での要注意季節を決定する（Ｓ１３）。さらに要注意季節判定部４８は、決定した要注意季節を示す情報をメモリ４１に記憶する（Ｓ１４）。
【００４１】
続いて、要注意季節判定部４８は、時計・カレンダー機能４６が示す現在の日時が要注意季節に含まれるか否かを判定する（Ｓ１５）。現在の日時が要注意季節に含まれる場合（Ｓ１５でＹｅｓ）には、血圧測定を促すメッセージを表示制御部４５が表示部２１に表示させ（Ｓ１６）、制御部４０は一定期間待機する（Ｓ１７）。一方、現在の日時が要注意季節に含まれない場合（Ｓ１５でＮｏ）には、表示制御部４５は血圧測定を促すメッセージを表示させずに、制御部４０は一定期間待機する（Ｓ１７）。その後、処理はＳ１５に戻る。このようにして、血圧計１０は、使用されていないときでも、要注意季節になったときには自動的に、表示部２１に血圧測定を促すメッセージを表示する。
【００４２】
なお、図４（Ａ）に示したような地域選択スイッチ３１に代えてＧＰＳ機能を血圧計１０に内蔵させて、このＧＰＳ機能により血圧計１０が位置する地域を自動的に選択してもよい。また、上記のフローでは、ユーザによる地域選択スイッチ３１の操作に応じてダウンロード制御部４７が血圧統計データを取得している（Ｓ１２）が、血圧統計データの取得はユーザによる操作とは非同期に行ってもよい。
【００４３】
また、要注意季節判定部４８は、ダウンロードした血圧統計データではなく、血圧値測定部４３が測定してメモリ４１に記憶した各ユーザの過去の月別平均測定値に基づいて、要注意季節を決定してもよい。この場合、血圧値測定部４３が取得部の一例となる。
【００４４】
第２の動作例は、血圧計１０がユーザの操作に応じて月別測定値を表示部２１に表示するときに、要注意季節に含まれる月の月別測定値については、その月が要注意季節であることを示すマークなどを併せて表示するというものである。メモリ４１は、ユーザごとに測定値の月別平均値を記憶している。そこで、血圧計１０は、ユーザがこの月別平均値を呼び出すときに、要注意季節に含まれる月についてはその旨を示すマークも併せて表示することにより、要注意季節の自分の測定値を確認できるようにする。
【００４５】
図６（Ａ）および図６（Ｂ）は、月別測定値の表示例を示した図である。ユーザが操作部２２の月別平均値表示ボタン３２を押すたびに、表示制御部４５は、各月に測定されメモリ４１に記憶された血圧値の平均値を、例えば１月から１２月まで順に表示部２１に表示させる。ここでは、１月は要注意季節に含まれず、２月は要注意季節に含まれるとする。この場合、図６（Ａ）に示すように、１月については、単に血圧の月別測定値が表示される。また、図６（Ｂ）に示すように、２月については、月別測定値とともに「要注意季節」のマークが表示される。
【００４６】
図７は、血圧計１０の第２の動作例を示したフローチャートである。図７に示す処理フローは、制御部４０のＲＯＭに予め記録されているプログラムに従って、制御部４０のＣＰＵが実行する。
【００４７】
まず制御部４０は、ユーザによる月別平均値表示ボタン３２の操作を検知して、月別測定値の呼出し指示を取得する（Ｓ２１）。そして制御部４０は、ある月の月別測定値をメモリ４１から読み出す（Ｓ２２）。次に要注意季節判定部４８は、その月が要注意季節に含まれるか否かを判定する（Ｓ２３）。その月が要注意季節に含まれる場合（Ｓ２３でＹｅｓ）には、表示制御部４５は、要注意季節のマークとともに月別測定値を表示部２１に表示させ（Ｓ２４）、Ｓ２６に進む。一方、その月が要注意季節に含まれない場合（Ｓ２３でＮｏ）には、表示制御部４５は、単に月別測定値を表示部２１に表示させる（Ｓ２５）。そして、次の月の月別測定値がある場合にはＳ２２に戻り、次の月の月別測定値がない場合には、処理を終了する（Ｓ２６）。
【００４８】
なお、「要注意季節」のマークの表示に代えて、またはそれに加えて、要注意季節である旨を音声ガイダンスによりユーザに報知してもよい。
【００４９】
第３の動作例は、ユーザが操作部２２の加圧上限設定スイッチを介して加圧上限圧力を手動で設定している場合において、要注意季節に含まれる月に血圧を測定するときに、手動で設定された加圧上限圧力（以下、「手動設定圧力」という）を予め定められた程度だけ高い値に補正するというものである。最高血圧値が最も上昇する要注意季節には、自分の自覚している値より血圧が高くなる傾向がある。このため、要注意季節と判定された月にユーザが血圧を測定するときは、血圧計１０では手動設定圧力が１ランク高い加圧値に補正される。
【００５０】
加圧上限設定スイッチは、加圧を停止させる上限圧力をユーザが設定するためのスイッチである。血圧計１０では、予め定められた加圧上限圧力まで加圧時にカフ５０内が自動的に加圧されるが、操作部２２の加圧上限設定スイッチを介して、ユーザはこの加圧上限圧力を異なる圧力値に設定することができる。
【００５１】
図８（Ａ）および図８（Ｂ）は、それぞれ加圧上限設定スイッチ３３と手動設定圧力の補正の例を示した図である。図８（Ａ）は、一例として、ユーザが１３０，１６０，２００，２５０（単位はｍｍＨｇ）の４段階で加圧上限圧力を設定できるようにした加圧上限設定スイッチ３３を示す。
【００５２】
ユーザが加圧上限設定スイッチ３３を介して加圧上限圧力を設定すると、要注意季節に測定を行うときは、その値に応じて加圧制御部４２が、図８（Ｂ）に「１３０→１６０」、「１６０→２００」および「２００→２５０」と示したように、手動設定圧力を例えば３０〜５０ｍｍＨｇだけ高い値に補正する。ただし、加圧上限圧力には設定可能な最上限値がある。ここでは、その最上限値を例えば２５０ｍｍＨｇとする。加圧上限圧力がこの最上限値に設定されている場合は、加圧制御部４２は、図８（Ｂ）に「２５０→２５０」と示したように、要注意季節であってもその設定値は補正しないものとする。なお、加圧制御部４２は、補正部の一例である。
【００５３】
図９は、血圧計１０の第３の動作例を示したフローチャートである。図９に示す処理フローは、制御部４０のＲＯＭに予め記録されているプログラムに従って、制御部４０のＣＰＵが実行する。
【００５４】
血圧測定に際して、被測定者は、カフ５０を手首に装着し、操作部２２のスイッチを用いて、被測定者を選択した上で測定開始を指示する。そしてまず、排気制御部４４が、スローリークバルブ２７を閉じて、カフ５０を加圧できる状態とする（Ｓ３１）。
【００５５】
ここで、制御部４０は、ユーザにより手動設定圧力が設定されているか否かを判定する（Ｓ３２）。手動設定圧力が設定されている場合（Ｓ３２でＹｅｓ）には、要注意季節判定部４８は、時計・カレンダー機能４６が示す現在の日時が要注意季節に含まれるか否かをさらに判定する（Ｓ３３）。現在の日時が要注意季節に含まれなければ（Ｓ３３でＮｏ）、Ｓ３５に進む。現在の日時が要注意季節に含まれるとき（Ｓ３３でＹｅｓ）は、加圧制御部４２が手動設定圧力を補正する（Ｓ３４）。そして加圧制御部４２により駆動回路２４を制御して、カフ５０内に空気を送り込むことによりカフ５０内を手動設定圧力まで加圧し（Ｓ３５）、Ｓ３７に進む。
【００５６】
一方、手動設定圧力が設定されていない場合（Ｓ３２でＮｏ）には、加圧制御部４２により駆動回路２４を制御して、カフ５０内に空気を送り込むことにより、カフ５０内を予め定められた加圧上限圧力まで加圧する（Ｓ３６）。
【００５７】
そして、排気制御部４４によりスローリークバルブ２７を開いてカフを減圧しながら、血圧値測定部４３が血圧を測定する（Ｓ３７）。さらに制御部４０は、測定値をメモリ４１に記憶する（Ｓ３８）。
【００５８】
血圧測定が終了すると、表示制御部４５が、表示部２１を制御して測定結果を表示する（Ｓ３９）。また、排気制御部４４がスローリークバルブ２７を開いて、カフ５０内の空気を急速に排気する（Ｓ４０）。以上で、血圧計１０による血圧測定の動作は終了する。
【００５９】
また、変形例として、血圧計１０での測定値をデータ収集端末に蓄積し、データ収集端末で確認できるようにした上で、血圧計１０の使用地域に応じて、その地域の要注意季節になるとデータ収集端末の表示部に自動的に測定を促すメッセージを表示するようにしてもよい。
【００６０】
図１０は、この変形例を実現する血圧測定システム１００のブロック図である。血圧測定システム１００は、血圧計１０’とデータ収集端末７０により構成される。血圧計１０とデータ収集端末７０は、無線または有線の通信ネットワークにより相互に接続される。
【００６１】
血圧計１０’は、図３で説明したものと同様の機能ブロックを有するが、ダウンロード制御部４７と要注意季節判定部４８に代えて、データ送信部４９を有する点が図３とは異なる。データ送信部４９は、血圧計１０’が測定した測定値と測定日時のデータを、データ収集端末７０に送信する。図３と重複する機能ブロックの説明は省略する。
【００６２】
データ収集端末７０は、例えば汎用のタブレット端末、ＰＣまたは携帯電話などである。データ収集端末７０は、データ受信部７１と、表示部７２と、操作部７３と、メモリ７４と、地域選択部７５と、ダウンロード制御部７６と、要注意季節判定部７７とを有する。
【００６３】
データ受信部７１は、血圧計１０’から送信された血圧の測定値などのデータを受信する。表示部７２は、液晶表示パネルなどで構成され、データ受信部７１が受信した測定値を数値またはグラフとして表示する。また表示部７２は、要注意季節判定部７７により決定された要注意季節をユーザに報知するためのメッセージを表示する。表示部７２は、報知部の一例である。
【００６４】
操作部７３は、例えばタッチパネルなどで構成され、表示部７２に血圧値を表示させるためのユーザによる操作を受け付ける。メモリ７４は、ダウンロード制御部７６が取得した血圧統計データや、データ受信部７１が受信した被測定者ごとの測定値を記憶する。メモリ７４は、記憶部の一例である。
【００６５】
地域選択部７５は、データ収集端末７０に内蔵されたＧＰＳ機能であり、データ収集端末７０が位置する地域を自動的に選択する。ここでは、血圧計１０’もデータ収集端末７０と同じ地域で使用されることを前提とし、地域選択部７５は、血圧計１０’が位置する地域をＧＰＳ機能により選択する。
【００６６】
ダウンロード制御部７６は、月別平均血圧などの統計データを、例えば年１回などの一定期間ごとに外部のデータサーバからダウンロードし、メモリ７４に記憶する。ダウンロード制御部７６は、取得部の一例である。
【００６７】
要注意季節判定部７７は、地域選択部７５により選択された血圧計１０’の使用地域を示す情報を取得し、その地域の血圧統計データをメモリ７４から取得する。そして要注意季節判定部７７は、その血圧統計データに基づいて要注意季節を決定し、決定した要注意季節を示す情報をメモリ７４に記憶する。さらに、要注意季節判定部７７は、要注意季節を示す情報を参照して、現在の日時が要注意季節に含まれるかどうかや、表示部７２に表示される測定値が要注意季節のものかどうかを判定する。
【００６８】
データ収集端末７０は、上記の第１の動作例と同じように要注意季節の報知を行うことができる。具体的には、要注意季節判定部７７が決定した要注意季節になると、図４（Ｂ）に示したように、血圧測定を促すメッセージを現在の日時とともに表示部７２に表示する。
【００６９】
また、データ収集端末７０は、上記の第２の動作例と同じように要注意季節の報知を行うことができる。具体的には、血圧計１０’で血圧測定を行うたびに、血圧計１０’からデータ収集端末７０に測定値を送信し、データ収集端末７０のメモリ７４に記憶する。このようにして、メモリ７４に、例えば測定値の１年間の月別平均値を記憶させる。データ収集端末７０は、ユーザによる操作部７３の操作に応じて表示部７２がこの月別平均値を表示するときに、要注意季節に含まれる月についてはその旨を示すマークも併せて表示することにより、要注意季節の自分の測定値を確認できるようにする。
【００７０】
なお、血圧測定システム１００の血圧計１０’でも、上記の第３の動作例と同じように、要注意季節に含まれる月に血圧を測定するときに、手動設定圧力を予め定められた程度だけ高い値に補正してもよい。また、第１〜第３の動作例は互いに独立のものであるから、図３の血圧計１０と図１０の血圧測定システム１００のいずれでも、これら３つの動作例をすべて実行できるようにしてもよい。
【００７１】
このように、図３の血圧計１０または汎用の携帯端末である図１０のデータ収集端末７０を使用して、血圧が上昇しやすい季節などの要注意季節をユーザに報知することにより、血圧計１０および血圧測定システム１００は、血圧測定へのユーザの関心を高め、ユーザの健康管理を促進する。
【００７２】
なお、上記では「要注意季節」を暦上の月単位で説明したが、「要注意季節（要注意時期）」とは、血圧値に注意が必要な一定の日数の期間を指し、春夏秋冬の季節や暦上の月には限定されない。また、血圧値の統計データも、例えば数週間、半月または数カ月単位の、年間の異なる時期にわたるものであればよく、暦上の月単位のものには限定されない。
【符号の説明】
【００７３】
１０    血圧計
２０    本体
２１    表示部
２２    操作部
２３    加圧ポンプ
２５    圧力センサ
２７    スローリークバルブ
４０    制御部
４１    メモリ
４２    加圧制御部
４３    血圧値測定部
４４    排気制御部
４５    表示制御部
４６    時計・カレンダー機能
４７    ダウンロード制御部
４８    要注意季節判定部
５０    カフ
６０    空気管
７０    データ収集端末
１００    血圧測定システム
【図１】
2014188063.tif 000003
【図２】
2014188063.tif 000004
【図３】
2014188063.tif 000005
【図４】
2014188063.tif 000006
【図５】
2014188063.tif 000007
【図６】
2014188063.tif 000008
【図７】
2014188063.tif 000009
【図８】
2014188063.tif 000010
【図９】
2014188063.tif 000011
【図１０】
2014188063.tif 000012